(57)【要約】【課題】この発明はコマセと付け餌を希望するタナに確実、有効に放出することができ、投げ釣、垂らし釣、船釣等すべての篭釣に対して万能に使えるコマセ篭に係わるものである。【解決手段】万能コマセ篭の構造は、コマセを充填するための開口部を設けた筒と内部に遊動糸により錘を取付けた円錐型フロートを接合し、更に反転用のガイドを筒開口部と円錐形フロートに取付け回転防止の安定板を備えた構造を篭本体として構成する。コマセの放出性能向上のため円筒周囲に減圧穴を設けており、また本体のＵ字の溝によりハリスの絡み防止を図っている。篭には蓋が無くコマセと餌の充填が簡単で素早くできる上、落下時の水圧を利用するため棚に到達するまでコマセは拡散しない。【選択図】図１
0003127262.tif 000002
【実用新案登録請求の範囲】
【請求項１】
コマセを充填する開口部とフィン(安定板)ならびに減圧穴を設けた円筒形の筒と内部に錘を付けた円錐型のフロートを接合し、更に反転用のガイドを筒開口部と円錐形フロートに取付けた構造を篭本体として構成する。
本体にコマセと付け餌の両方を入れて狙ったタナに対して確実にコマセと餌の両方を一挙に放出することができ、投げ釣、垂らし釣、船釣等すべての篭釣に対して万能に使える仕様である。  篭には蓋が無くコマセと餌の充填が簡単で素早くできるのが特徴である。
【請求項２】
筒開口部には付け餌用のハリスがズレたり絡んだりしないようにＵ字型の溝を設ける。
【請求項３】
円錐形フロートに取り付けた錘は糸によって取付けられ、糸のたるみによって一定の間隔を遊動することができる。
目的は本体を遠投する場合のバランス確保とタナに至った時の餌の放出を援助する為である。
【請求項４】
円筒の筒には周囲に数ミリ程度の円形の穴を設け、減圧と水抜きによりタナ到達時のコマセと付け餌の放出を容易にする。
【請求項５】
投げ釣の遠投時の空中でのバランス確保、ならびに水中落下・潜水時のバランス確保のために円筒の筒の周囲に数個のフィン（安定版）を設ける。
【請求項６】
着水後、直ちにフロートの浮力と篭の重量ならびにフロートに取付けた錘をバランスさせて反転ガイドに沿って水中で反転動作をさせる。
【請求項７】
コマセ篭には蓋が無く、反転動作により落下・潜水時の圧力を蓋の替わりにして利用してタナ到達までコマセと餌の放出・拡散を防止する。
【請求項８】
コマセを入れる開口部は篭の外径よりもやや小さな直径の絞った形状にすることによって水中の落下・潜水時の抵抗減少による速度上昇とともに、コマセの放出をやや制限してコマセの拡散時間を大きくしている。
【請求項９】
魚に対してコマセ篭の違和感を無くすために、外観に鯖や鰯等の青魚に似せた塗装を施し警戒感を無くして集魚効果を高める。
【考案の詳細な説明】
【技術分野】
【０００１】
この発明はコマセと付け餌を希望するタナに確実、有効に放出することができ、投げ釣、垂らし釣、船釣等すべての篭釣に対して万能に使えるコマセ篭に係わるものである。
【背景技術】
【０００２】
従来、集魚用として深いタナにコマセを撒く場合には主に船上等からコマセ篭を垂らして希望するタナで振って（篭を上下させて）コマセを放出させる場合と、投げ釣用のコマセ篭を用いて希望するタナでコマセを放出させる場合との二つの方法があった。
【０００３】
前者の方法として例えば以下に示す公報等があるが、いずれの方法も篭には蓋があり、また各種の篭釣の態様のすべてに対応するものでは無く、本願発明の万能篭とは目的や作用効果を全く異にするものである。
【特許文献１】実開昭58-137080号
【特許文献２】実開昭58-187275号
【特許文献３】実開昭59-47480号
【特許文献４】実開昭60-151375号
【特許文献５】特許公開2005-27590号
【考案の開示】
【考案が解決しようとする課題】
【０００４】
この万能コマセ篭は、本体に蓋が無くコマセと付け餌の充填が簡単に素早くできる。
本考案は蓋が無くとも水中落下・潜水時の水圧自体を蓋の替わりに利用しタナ到達までコマセと餌の放出・拡散を防止するものである。
【０００５】
筒開口部にはＵ字型の溝を設け付け餌用のハリスがズレたり絡んだりしないようにしてある。
【０００６】
開口部付近に安定版を取付けることにより、遠投時の安定性ならびに水中下降時の回転を防止してハリスの絡みを防いでいる。
【０００７】
反転ガイドならびに内部に遊動式の錘を付けた円錐型のフロートにより投げ釣、垂らし釣、船釣等各種の釣に対応できる多様性を有する。
【０００８】
遊動式の錘により投げ釣時の遠投性能とタナ到達時のコマセおよび付け餌の押出し放出性能の向上を兼ね備えている。
【０００９】
円筒周囲の減圧穴によりコマセの放出を容易にしている。
【課題を解決するための手段】
【００１０】
この発明の万能コマセ篭は、コマセを充填するための開口部を設けた筒と内部に錘を付けた円錐型のフロートを接合し、更に反転用のガイドを筒開口部と円錐形フロートに取付け回転防止の安定板を備えた構造を篭本体として構成する。
本体にコマセと付け餌の両方を入れて狙ったタナに確実に両方を一挙に放出することができ、投げ釣、垂らし釣、船釣等すべての篭釣に対して万能に使える仕様であり、篭には落下時の水圧を利用するため蓋が無くコマセと餌の充填が簡単で素早くできるのが特徴である。
【考案の効果】
【００１１】
釣は魚の食いが立つ時間が限られており、この発明の万能コマセ篭は本体に蓋が無くコマセと付け餌の充填が簡単に素早くできるため貴重な限られた時間に手返しよく効果的に棚に対して付け餌と多量のコマセを同時にかつ一挙に放出・拡散できるため、他のコマセ篭よりも集魚効果や釣果が格段に大きい。
【考案を実施するための最良の形態】
【００１２】
本体にコマセと付け餌の両方を入れて狙ったタナに対して確実にコマセと付け餌の両方を一挙に放出することができ、投げ釣、垂らし釣、船釣等すべての篭釣に対して万能に使える仕様である。
篭には蓋が無くコマセと餌の充填が簡単で素早くできるのが特徴である。また本体の錘は反転後の重心位置を下に移す効果ならびに中の錘がこませに重力をかけコマセの放出を助けている。
【実施例１】
【００１３】
投げ釣、垂らし釣、船釣等すべての篭釣に対して万能に使うことができる。
【実施例２】
【００１４】
本体の開口部には蓋が無くコマセと餌の充填が簡単で素早くできる。
開口部からコマセと付け餌の両方を同時に入れて水中に投げ入れ狙ったタナに到達すると蓋が無いためコマセと付け餌の両方を一挙に放出する。篭の開口部に蓋が無いくとも落下時の水圧を利用しているので水中を落下中にコマセと付け餌が漏れ出ることは無い。
【図面の簡単な説明】
【００１５】
【図１】この発明の万能コマセ篭の全体図である。
【図２】本体の下面図である
【図３】本体の上面図である
【図４】円錐フロートに遊動錘を取付けた部品図である
【図５】コマセを挿入する篭部分の平面図である
【図６】フィンの部品図である。
【図７】反転用ガイドの部品図である。
【図８】着水から潜水・タナ到達時のコマセと付け餌放出までの関係図である。
【符号の説明】
【００１６】
１    円錐フロート部
２    円筒部（コマセと餌の格納部）
３    フィン（安定版）
４    反転用ガイド
５    遊動糸
６    遊動錘
７    減圧・水抜き穴
８    Ｕ字型溝    
９    開口部（絞り）
【図１】
0003127262.tif 000003
【図２】
0003127262.tif 000004
【図３】
0003127262.tif 000005
【図４】
0003127262.tif 000006
【図５】
0003127262.tif 000007
【図６】
0003127262.tif 000008
【図７】
0003127262.tif 000009
【図８】
0003127262.tif 000010
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
コマセと付け餌の両方を入れて水中で反転して狙ったタナに対して確実にコマセと餌の両方を一挙に放出し、篭遠投釣、垂らし釣、船釣等すべての篭釣ならびにダンゴ釣に対して万能に使えるコマセ篭とするため、コマセを充填する開口部と減圧穴ならびにフィン(安定板)を設けた円筒形の筒と錘を付けた円錐型のフロートを接合し、更に反転用のガイドを筒開口部と円錐形フロート先端に取付けた構造を篭本体として構成する「万能コマセ篭」であり、この「万能コマセ篭」の具体的な形状・構造は
（１）コマセと餌の充填部には蓋が無く開口した構造とする。
（２）開口部にハリス絡み防止用のＵ字型の溝を設けた形状とする。
（３）潜水中に反転動作させるため円錐形フロートと反転ガイドを設けた構造とする。
（４）円錐形フロートと内部の錘は糸によって取付け、糸のたるみによって一定の間隔を反転と同時に遊動するできる構造とする。
（５）円筒の筒底付近の周囲に数ミリ程度の円形の減圧・水抜き目的の穴を複数設けた構造とする
（６）本体の回転防止のため円筒の筒の開口部よりの周囲に数個のフィン（安定板）を設けた構造とする。
（７）沈下速度上昇とコマセの拡散時間をやや大きくするため開口部は篭の外径よりも少し小さな直径の円錐形に絞った形状とする。
以上の構成からなる「万能コマセ篭」
【請求項２】
請求項１の「万能コマセ篭」に魚の警戒感を無くして集魚効果を高めるために、外観に鯖や鰯等の青魚に似せた塗装を施した「万能コマセ篭」
【手続補正２】
【補正対象書類名】明細書
【補正対象項目名】全文
【補正方法】変更
【補正の内容】
【考案の詳細な説明】
【技術分野】
【０００１】
この発明はコマセと付け餌を希望するタナに確実、有効に放出することができ、投げ釣、垂らし釣、船釣等すべての篭釣ならびにダンゴ釣に対して万能に使えるコマセ篭に係わるものである。
【背景技術】
【０００２】
従来、集魚用として深いタナにコマセを撒く場合には主に船上等からコマセ篭を垂らして希望するタナで振って（篭を上下させて）コマセを放出させる場合と、投げ釣用のコマセ篭を用いて希望するタナでコマセを放出させる場合との二つの方法があった。
【０００３】
前者の方法として例えば以下に示す公報等があるが、いずれの方法も篭には蓋があり、また各種の篭釣やダンゴ釣の態様のすべてに対応するものでは無く、本願発明の万能篭とは目的や作用効果を全く異にするものである。
【特許文献１】実開昭58-137080号
【特許文献２】実開昭58-187275号
【特許文献３】実開昭59-47480号
【特許文献４】実開昭60-151375号
【特許文献５】特許公開2005-27590号
【考案の開示】
【考案が解決しようとする課題】
【０００４】
この万能コマセ篭は、本体に蓋が無くコマセと付け餌の充填が簡単に素早くできる。
本考案は蓋が無くとも水中下降時の水圧自体を蓋の替わりに利用しタナ到達までコマセと餌の放出・拡散を防止するものである。
蓋が無いが故にダンゴ釣りにも対応できる。
【０００５】
筒開口部にはＵ字型の溝を設け付け餌用のハリスがズレたり絡んだりしないようにしている
【０００６】
開口部付近にフィン(安定板)を取付けることにより、遠投時の空中安定性ならびに水中下降時の回転を防止してハリスの絡みを防いでいる。
【０００７】
円筒周囲の減圧・水抜き穴によりコマセの放出を容易にしている。
【０００８】
着水後、下降中にフロートの浮力に対して篭ならびに遊動錘の重量のバランスの関係から
反転ガイドに沿って反転動作させることによって開口部の下降水圧を得てコマセと付け餌の拡
散防止を図るため篭遠投釣、垂らし釣、船釣、ダンゴ釣り等各種の釣りに対応できる多様性を
有する。
【０００９】
遊動式の錘により篭遠投時の遠投性能と下降時の反転と上下安定性ならびに棚到達時のコマ
セおよび付け餌の押出し放出性能の向上を兼ね備えている。
【００１０】
コマセを入れる開口部は篭の外径よりもやや小さな直径の円錐形に絞った形状として水中下  降時の抵抗減少による沈下速度上昇と共に、コマセの放出をやや制限してコマセの拡散時間    をやや大きくして集魚効果の持続を図っている。
【００１１】
魚の警戒感を無くして集魚効果を高めるために、外観に鯖や鰯等の青魚に似せた塗装を施し
ている。
【課題を解決するための手段】
【００１２】
この発明の万能コマセ篭は、コマセを充填するための開口部を設けた筒と内部に錘を付けた円錐型のフロートを接合し、更に反転用のガイドを筒開口部と円錐形フロートに取付け回転防止の安定板を備えた構造を篭本体として構成する。
本体にコマセと付け餌の両方を入れて狙ったタナに確実に両方を一挙に放出することができ、投げ釣、垂らし釣、船釣等すべての篭釣ならびにダンゴ釣りに対して万能に使える仕様であり、篭には下降時の水圧を利用するため蓋が無くコマセと餌の充填が簡単で素早くできるのが特徴である。
【考案の効果】
【００１３】
釣は魚の食いが立つ時間が限られており、この発明の万能コマセ篭は本体に蓋が無くコマセと付け餌の充填が簡単に素早くできるため貴重な限られた時間に手返しよく効果的に棚に対して付け餌と多量のコマセを同時にかつ一挙に放出・拡散できるため、他のコマセ篭よりも集魚効果や釣果が格段に大きい。
【考案を実施するための最良の形態】
【００１４】
本体にコマセと付け餌の両方を入れて狙ったタナに対して確実にコマセと付け餌の両方を一挙に放出することができ、投げ釣、垂らし釣、船釣等すべての篭釣ならびにダンゴ釣に対して万能に使える仕様である。
篭には蓋が無くコマセと餌の充填が簡単で素早くできるのが特徴である。また本体の錘は遠投性能と反転後の重心位置を下に移す安定効果ならびにコマセに重力をかけコマセの放出性能の向上を兼ね備えている。
【実施例１】
【００１５】
投げ釣、垂らし釣、船釣等すべての篭釣ならびにダンゴ釣りに対して万能に使用できる。
【実施例２】
【００１６】
本体の開口部には蓋が無くコマセと餌の充填が簡単で素早くできる。
開口部からコマセと付け餌の両方を同時に入れて水中に投げ入れ狙ったタナに到達すると蓋が無いためコマセと付け餌の両方を一挙に放出する。篭の開口部に蓋が無くとも落下時の水圧を利用しているので水中を下降中にコマセと付け餌が漏れ出ることは無い。
【図面の簡単な説明】
【００１７】
【図１】この発明の万能コマセ篭の全体図である。
【図２】本体の下面図である
【図３】本体の上面図である
【図４】円錐フロートに遊動錘を取付けた部品図である
【図５】コマセを挿入する篭部分の平面図である
【図６】フィンの部品図である。
【図７】反転用ガイドの部品図である。
【図８】着水から潜水・タナ到達時のコマセと付け餌放出までの関係図である。
【符号の説明】
【００１８】
１    円錐フロート部
２    円筒部（コマセと餌の格納部）
３    フィン（安定板）
４    反転用ガイド
５    遊動糸
６    遊動錘
７    減圧・水抜き穴
８    Ｕ字型溝    
９    開口部（絞り）
【手続補正３】
【補正対象書類名】図面
【補正対象項目名】図２
【補正方法】変更
【補正の内容】
【図２】
0003127262.tif 000011